(57)【要約】【課題】止水剤塗布ノズルの清掃のための工程を容易化することが可能な止水剤塗布ノズルを提供すること。【解決手段】止水剤塗布ノズル４０は、複数本の電線Ｃを整列させた電線束ＣＴに対して、電線Ｃの整列方向に沿って止水剤を塗布する。止水剤塗布ノズル４０は、止水剤を電線束ＣＴへ向けて吐出するように整列方向に交差する交差方向に延びる吐出口５２と、止水剤を吐出口５２に向けて供給する供給路５１と、供給路５１に接続され、供給路５１を経た止水剤を一時的に貯留すると共に止水剤を吐出口５２に向けて送り込む貯留部５３と、貯留部５３に連通するように且つ開閉可能に設けられた吐出口５２とは異なる開閉口５４と、を備える。【選択図】図１０
2019212451.tif 000002
【特許請求の範囲】
【請求項１】
複数本の電線を整列させた電線束に対して、前記電線の整列方向に沿って止水剤を塗布する止水剤塗布ノズルであって、
前記止水剤を前記電線束へ向けて吐出するように前記整列方向に交差する交差方向に延びる吐出口と、
前記止水剤を前記吐出口に向けて供給する供給路と、
前記供給路に接続されて前記供給路を経た前記止水剤を一時的に貯留すると共に、前記止水剤を前記吐出口に向けて送り込む貯留部と、
前記貯留部に連通するように且つ開閉可能に設けられた前記吐出口とは異なる開口部と、を備える、
止水剤塗布ノズル。
【請求項２】
請求項１に記載の止水剤塗布ノズルにおいて、
前記開口部は、
蓋部を着脱することによって開閉可能に構成された、
止水剤塗布ノズル。
【請求項３】
請求項２に記載の止水剤塗布ノズルであって、
前記開口部は、
前記蓋部が螺合されることによって閉じられるように構成された、
止水剤塗布ノズル。
【請求項４】
請求項１〜請求項３の何れか一項に記載の止水剤塗布ノズルにおいて、
前記開口部は、
該開口部の開口縁と、前記貯留部の内壁面と、が面一になるように構成された、
止水剤塗布ノズル。
【発明の詳細な説明】
【技術分野】
【０００１】
本発明は、複数本の電線を整列させた電線束に対してその整列方向に沿って止水剤を塗布する止水剤塗布ノズルに関する。
【背景技術】
【０００２】
従来から、車両に搭載された電源等と各種の電装品等とを接続するための電線束（いわゆるワイヤハーネス）が知られている。そのようなワイヤハーネスのうち、例えば、車体パネル等に設けられた貫通孔をグロメットを介して通り抜けるように配索されるワイヤハーネスには、止水性を向上するべく、グロメットとの接触箇所に止水剤を設ける止水処理が施される場合がある（例えば、特許文献１〜３を参照）。
【０００３】
この種の止水処理の手法として、例えば、ワイヤハーネスを構成する電線束の外周部分に止水剤を塗布した後に止水剤を覆うようにシート材を巻き付け、シート材を介して止水剤を電線束の内側向きに押圧することで、電線と電線との間の隙間に止水剤を浸透させる手法が挙げられる（例えば、特許文献１を参照）。また、電線束へ止水剤を塗布するための装置として、例えば、いわゆるフラットケーブルのような面状の配列状態をなすように整列させた電線束に対し、複数の止水剤塗布用のノズルによって電線束を挟み込みながら止水剤を塗布する装置が挙げられる（例えば、特許文献２，３を参照）。
【先行技術文献】
【特許文献】
【０００４】
【特許文献１】特許第４１１８７６９号公報
【特許文献２】特開２００４−５５２６７号公報
【特許文献３】特開２００８−１８１８１５号公報
【発明の概要】
【発明が解決しようとする課題】
【０００５】
ワイヤハーネスに対して上述したような止水処理を施すにあたり、止水剤塗布用のノズルは、例えば長期間の使用により、止水剤を吐出する吐出口が固形化した止水剤（止水剤カス）によって塞がれて止水剤を効率良く吐出できなくなる可能性がある。このように固形化した止水剤は、吐出口を専用の清掃具によって清掃することにより除去可能である。しかし、ノズルに多数の吐出口が設けられている場合などにおいて、多数の吐出口の各々を順番に繰り返し清掃することは煩雑であり、清掃の作業効率を向上させ難い。本来の目的である止水剤塗布を出来る限り妨げないよう、吐出口の清掃は出来る限り迅速に行われることが望ましい。
【０００６】
本発明は、上述した事情に鑑みてなされたものであり、その目的は、止水剤塗布ノズルの清掃を容易化することが可能な止水剤塗布ノズルを提供することにある。
【課題を解決するための手段】
【０００７】
前述した目的を達成するために、本発明に係る止水剤塗布ノズルは、下記（１）〜（４）を特徴としている。
（１）
複数本の電線を整列させた電線束に対して、前記電線の整列方向に沿って止水剤を塗布する止水剤塗布ノズルであって、
前記止水剤を前記電線束へ向けて吐出するように前記整列方向に交差する交差方向に延びる吐出口と、
前記止水剤を前記吐出口に向けて供給する供給路と、
前記供給路に接続されて前記供給路を経た前記止水剤を一時的に貯留すると共に、前記止水剤を前記吐出口に向けて送り込む貯留部と、
前記貯留部に連通するように且つ開閉可能に設けられた前記吐出口とは異なる開閉口と、を備える、
止水剤塗布ノズルであること。
（２）
上記（１）に記載の止水剤塗布ノズルにおいて、
前記開閉口は、
蓋部を着脱することによって開閉可能に構成された、
止水剤塗布ノズルであること。
（３）
上記（２）に記載の止水剤塗布ノズルであって、
前記開閉口は、
前記蓋部が螺合されることによって閉じられるように構成された、
止水剤塗布ノズルであること。
（４）
上記（１）〜上記（３）の何れか一つに記載の止水剤塗布ノズルにおいて、
前記開閉口は、
該開閉口の開口縁と、前記貯留部の内壁面と、が面一になるように構成された、
止水剤塗布ノズルであること。
【０００８】
上記（１）の構成の止水剤塗布ノズルによれば、吐出口とは異なる専用の開口部を通じて固形化した止水剤を除去できる。これにより、例えば、電線束への止水剤の塗布に適した形状の吐出口とは別に、固形化した止水剤の除去に適した形状を有するように開口部を構成することで、固形化した止水剤を除去する工程を容易化することができる。したがって、本構成の止水剤塗布ノズルは、止水剤塗布ノズルの清掃を容易化することが可能である。
【０００９】
上記（２）の構成の止水剤塗布ノズルによれば、開口部を使用する必要がない場合には蓋部によって開口部を閉じることで、開口部が開いたままである場合に比べ、吐出口から吐出される止水剤の量を増大できる。よって、止水剤塗布ノズルの清掃時以外の場合において、吐出口から効率良く止水剤を吐出できる。
【００１０】
上記（３）の構成の止水剤塗布ノズルによれば、蓋部を開口部に螺合することによって開口部を閉じることにより、例えば、止水剤の供給圧を高めても意図せず蓋部が外れることを抑制できる。
【００１１】
上記（４）の構成の止水剤塗布ノズルによれば、開口部と貯留部との接続箇所が面一となっており段差がないため、清掃の際に効率良く固形化した止水剤を除去できる。
【発明の効果】
【００１２】
本発明によれば、止水剤塗布ノズルの清掃を容易化することが可能な止水剤塗布ノズルを提供できる。
【００１３】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１４】
【図１】図１は、止水剤塗布装置の構成を説明する概略側面図である。
【図２】図２は、止水剤塗布装置の下端部における概略側面図である。
【図３】図３は、固定側ノズルの斜視図である。
【図４】図４は、固定側ノズルの正面図である。
【図５】図５は、図４におけるＡ−Ａ断面図である。
【図６】図６は、図４におけるＢ−Ｂ断面図である。
【図７】図７は、図６におけるＣ部拡大図である。
【図８】図８（ａ）は、本実施形態に係る止水剤塗布ノズルである可動側ノズルの正面側からみた斜視図であり、図８（ｂ）は、可動側ノズルの背面側からみた斜視図である。
【図９】図９（ａ）は、本実施形態に係る止水剤塗布ノズルである可動側ノズルの正面図であり、図９（ｂ）は、可動側ノズルの側面図である。
【図１０】図１０は、図９（ａ）におけるＤ−Ｄ断面図である。
【図１１】図１１は、図９（ａ）におけるＥ−Ｅ断面図である。
【図１２】図１２（ａ）は、図９（ｂ）におけるノズル本体の幅広部の端面の周りの拡大図であり、図１２（ｂ）は、図１１におけるＧ部拡大図である。
【図１３】図１３は、清掃用ブラシを用いて貯留部内を清掃する様子を説明するための図１０に対応する図である。
【図１４】図１４は、変形例に係る固定側ノズルの斜視図である。
【図１５】図１５は、変形例に係る固定側ノズルの正面図である。
【発明を実施するための形態】
【００１５】
以下、本発明に係る実施の形態の例を、図面を参照して説明する。
【００１６】
＜止水剤塗布装置＞
図１は、止水剤塗布装置の構成を説明する概略側面図である。
【００１７】
図１に示すように、止水剤塗布装置１０は、インナー１１と、二つのアウター１２とを備えている。この止水剤塗布装置１０は、複数本の電線を束ねたワイヤハーネスのグロメットへの挿通箇所に止水処理を施すために、ワイヤハーネスを構成する電線束の所定箇所に止水剤を塗布する装置である。止水剤塗布装置１０で電線束に止水剤が塗布されたワイヤハーネスは、その止水剤の塗布箇所にシートが巻き付けられてグロメットへ通される。止水剤としては、シリコーン等の１液性の樹脂を用いるのが好ましいが、２液性の樹脂を用いてもよい。
【００１８】
止水剤塗布装置１０を構成するインナー１１及びアウター１２は、支持ブロック１３に支持されている。インナー１１は、支持ブロック１３に固定されて下方へ延在されている。アウター１２は、インナー１１の両側に配置されている。
【００１９】
インナー１１の端部には、固定側ノズル２０が設けられ、それぞれのアウター１２の端部には、可動側ノズル４０が設けられている。アウター１２は、支持ブロック１３に設けられた取付片１４に回動可能に支持されている。これにより、アウター１２に設けられた可動側ノズル４０は、固定側ノズル２０に対して近接離間方向へ移動可能とされている。
【００２０】
支持ブロック１３とアウター１２との間には、取付片１４におけるアウター１２の支持箇所よりも後端側に圧縮バネ１５が設けられている。これにより、アウター１２の先端に設けられた可動側ノズル４０は、インナー１１の先端に設けられた固定側ノズル２０へ向かって近接する方向へ付勢されている。
【００２１】
支持ブロック１３には、アウター１２の可動側ノズル４０に繋がるチューブ１６が接続されている。この支持ブロック１３には、アダプタ１７が設けられており、このアダプタ１７を介してディスペンサ（図示略）から止水剤が供給される。固定側ノズル２０には、支持ブロック１３に供給される止水剤が、インナー１１に設けられた流路（図示略）を介して供給される。可動側ノズル４０には、支持ブロック１３に供給される止水剤が、チューブ１６を介して供給される。固定側ノズル２０は、供給される止水剤を両側へ向かって吐出し、可動側ノズル４０は、供給される止水剤を、それぞれ片側である内側へ吐出する。
【００２２】
図２は、止水剤塗布装置の下端部における概略側面図である。
【００２３】
図２に示すように、止水剤塗布装置１０は、ワイヤハーネスを構成する複数本の電線Ｃを二つの電線束ＣＴに分割した状態で、その電線束ＣＴの間にインナー１１の固定側ノズル２０が挿し込まれ、電線束ＣＴの外側にアウター１２の可動側ノズル４０が配置される。この状態で、電線束ＣＴの電線Ｃは、インナー１１側である内側を基準としてフラットに整列される。
【００２４】
止水剤塗布装置１０は、電線束ＣＴに対して電線Ｃの整列方向へ相対的に移動されることで、固定側ノズル２０から吐出される止水剤を各電線束ＣＴの基準とされた一方側に塗布し、可動側ノズル４０から吐出される止水剤を各電線束ＣＴの基準と反対の他方側に塗布する。
【００２５】
＜固定側ノズル＞
図３は、固定側ノズルの斜視図である。図４は、本実施形態に係る止水剤塗布ノズルである固定側ノズルの正面図である。図５は、図４におけるＡ−Ａ断面図である。図６は、図４におけるＢ−Ｂ断面図である。図７は、図６におけるＣ部拡大図である。
【００２６】
図３及び図４に示すように、固定側ノズル２０は、ノズル本体２１に、一対の吐出部２２を有している。それぞれの吐出部２２は、供給路３１と、吐出口３２と、貯留部３３とを有している。ノズル本体２１は、その下部に、下方へ向かって次第に窄まるガイド部２３を有しており、電線束ＣＴ間へ円滑に挿し込み可能とされている。
【００２７】
供給路３１は、ノズル本体２１の上部で開口されており、インナー１１の流路と連通される。これにより、供給路３１には、インナー１１の流路から止水剤が送り込まれる。供給路３１は、ノズル本体２１の下方へ向かってノズル本体２１の幅方向の中央へ傾斜されている。
【００２８】
吐出口３２は、電線Ｃの整列方向と直交する方向、つまり、ノズル本体２１の幅方向に沿って形成されたスリットＳからなるもので、ノズル本体２１の側面に設けられている。吐出口３２は、供給路３１に供給された止水剤を電線束ＣＴに向かって吐出する。
【００２９】
図５及び図６に示すように、貯留部３３は、ノズル本体２１における供給路３１と吐出口３２との間に設けられている。貯留部３３は、吐出口３２に対してノズル本体２１の奥側で、ノズル本体２１の幅方向に沿って形成されている。この貯留部３３には、その中央で供給路３１が連通されており、この供給路３１から止水剤が送り込まれる。貯留部３３には、長手方向にわたって吐出口３２が連通されており、これにより、貯留部３３に送り込まれた止水剤は、貯留部３３から吐出口３２を構成するスリットＳへ送り出される。この貯留部３３は、吐出口３２からの止水剤の吐出方向と直交する断面積が吐出口３２よりも大きな空隙からなるもので、供給路３１から送り込まれる止水剤を貯留する。
【００３０】
図７に示すように、ノズル本体２１の側面には、吐出口３２における止水剤の吐出方向前方側に、保持凹部３５が形成されている。これにより、スリットＳからなる吐出口３２は、保持凹部３５の底部で開口されている。この保持凹部３５には、吐出口３２から吐出される止水剤が保持される。
【００３１】
＜可動側ノズル＞
図８（ａ）は、本実施形態に係る止水剤塗布ノズルである可動側ノズルの正面側からみた斜視図であり、図８（ｂ）は、可動側ノズルの背面側からみた斜視図である。図９（ａ）は、本実施形態に係る止水剤塗布ノズルである可動側ノズルの正面図であり、図９（ｂ）は、可動側ノズルの側面図である。図１０は、図９（ａ）におけるＤ−Ｄ断面図である。図１１は、図９（ａ）におけるＥ−Ｅ断面図である。図１２（ａ）は、図９（ｂ）におけるノズル本体の幅広部の端面の周りの拡大図であり、図１２（ｂ）は、図１１におけるＧ部拡大図である。
【００３２】
図８及び図９に示すように、可動側ノズル４０は、ノズル本体４１に、吐出部４２を有している。吐出部４２は、供給路５１と、吐出口５２と、貯留部５３と、開閉口５４と、蓋部保持穴５５と、を有している。ノズル本体４１は、支柱部４３と、支柱部４３の下部の幅広部４４とを有している。
【００３３】
供給路５１は、ノズル本体４１の支柱部４３の下部における背面側で開口されており（図８（ｂ）参照）、この供給路５１には、チューブ１６が接続される。これにより、供給路５１には、チューブ１６から止水剤が送り込まれる。供給路５１は、ノズル本体４１の幅広部４４の中央へ向かって延在されている（図１０参照）。
【００３４】
吐出口５２は、電線Ｃの整列方向と直交する方向、つまり、ノズル本体４１の幅方向に沿って配列された複数の孔部Ｈからなるもので、ノズル本体４１の幅広部４４の側面に設けられている。吐出口５２は、供給路５１に供給された止水剤を電線束ＣＴに向かって吐出する。
【００３５】
図１０及び図１１に示すように、貯留部５３は、ノズル本体４１の幅広部４４における供給路５１と吐出口５２との間に設けられている。貯留部５３は、吐出口５２に対してノズル本体４１の幅広部４４の奥側で、幅広部４４に沿って形成されている。この貯留部５３には、その中央で供給路５１が連通されており、この供給路５１から止水剤が送り込まれる。図１２（ｂ）に示すように、貯留部５３には、吐出口５２の各孔部Ｈが連通されており、これにより、貯留部５３に送り込まれた止水剤は、貯留部５３から吐出口５２を構成する各孔部Ｈへ送り出される。この貯留部５３は、吐出口５２からの止水剤の吐出方向と直交する断面積が吐出口５２よりも大きな空隙からなるもので、供給路５１から送り込まれる止水剤を貯留する。
【００３６】
図１０及び図１２（ｂ）に示すように、貯留部５３の延在方向（ノズル本体４１の幅方向）の一端側は、可動側ノズル４０を清掃するために設けられた開閉口５４及び蓋部保持穴５５を介して外部と連通している。
【００３７】
開閉口５４は、開閉口５４の開口縁と貯留部５３の内壁面とが面一になるように構成されている。蓋部保持穴５５は、開閉口５４と同軸的に開閉口５４の幅方向外側に隣接して設けられている。蓋部保持穴５５は、蓋部６０の形状（本例では、段付き円柱状）と対応する形状（本例では、段付き円柱状）を有しており、蓋部保持穴５５には、蓋部６０が着脱自在に螺合可能となっている。
【００３８】
開閉口５４は、蓋部保持穴５５に対して蓋部６０を着脱することによって開閉可能となっている。可動側ノズル４０が止水剤の塗布に使用される際には、蓋部６０を蓋部保持穴５５に取り付けることで、開閉口５４が塞がれる。一方、可動側ノズル４０の清掃を行う際には、蓋部６０を蓋部保持穴５５から取り外すことで、開閉口５４が開放される。
【００３９】
＜止水剤の塗布＞
次いで、上記構成の止水剤塗布装置１０によってワイヤハーネスを構成する電線束ＣＴに止水剤を塗布する場合について説明する。この場合、可動側ノズル４０の開閉口５４は、蓋部保持穴５５に螺合された蓋部６０によって塞がれた状態に維持される。
【００４０】
圧縮バネ１５の付勢力に抗してアウター１２を回動させて保持し、インナー１１の固定側ノズル２０からアウター１２の可動側ノズル４０を離間させる。
【００４１】
複数の電線Ｃを二つの電線束ＣＴに分割したワイヤハーネスに対して、固定側ノズル２０を分割した電線束ＣＴ間へ挿し込み、固定側ノズル２０側を基準として各電線束ＣＴの電線Ｃをフラットに整列させ、アウター１２の保持を解除する。このようにすると、アウター１２の可動側ノズル４０が圧縮バネ１５の付勢力によって固定側ノズル２０側へ付勢される。これにより、固定側ノズル２０と可動側ノズル４０とで電線束ＣＴが挟まれた状態とされる。
【００４２】
この状態で、ディスペンサから止水剤を供給することで、固定側ノズル２０及び可動側ノズル４０のそれぞれの吐出部２２，４２の吐出口３２，５２から止水剤を吐出させながら止水剤塗布装置１０を、ワイヤハーネスに対する装着時と反対に引き離すように移動させる。このようにすると、止水剤を吐出する固定側ノズル２０及び可動側ノズル４０が、各電線束ＣＴに対して電線Ｃの整列方向へ移動することで、各電線束ＣＴの表裏に止水剤が帯状に塗布される。
【００４３】
この止水剤の塗布工程において、固定側ノズル２０及び可動側ノズル４０では、供給路３１，５１から送り込まれる止水剤が、吐出口３２，５２からの止水剤の吐出方向と直交する断面積が吐出口３２，５２よりも大きな空隙からなる貯留部３３，５３に一旦貯留され、止水剤の供給圧が貯留部３３，５３で分散される。したがって、吐出口３２，５２から電線束ＣＴへ向かって吐出される止水剤の吐出圧の偏りが抑制される。
【００４４】
そして、固定側ノズル２０では、吐出口３２を構成するスリットＳから止水剤が幅広く均等に吐出される。この吐出口３２から吐出される止水剤は、保持凹部３５に保持された後、電線束ＣＴの基準とされた一方側に幅広く塗布される。
【００４５】
また、可動側ノズル４０では、吐出口５２を構成する複数の孔部Ｈから止水剤が均等に吐出される。したがって、電線束ＣＴには、基準と反対の他方側に幅広く止水剤が塗布される。特に、可動側ノズル４０では、吐出口５２とされた複数の孔部Ｈから止水剤が高い吐出圧で均等に遠くへ飛ばされる。したがって、外径の違いにより可動側ノズル４０からの距離がばらついた電線Ｃに対して止水剤が確実に塗布される。また、蓋部６０が蓋部保持穴５５に対して螺合されているため、止水剤の供給圧を高めても意図せず蓋部６０が外れることを抑制できる。
【００４６】
（可動側ノズルの清掃）
次いで、可動側ノズル４０を清掃する場合について説明する。可動側ノズル４０は、長期間の使用により、吐出口５２（孔部Ｈ）や貯留部５３を固形化した止水剤（止水剤カス）が塞ぎ、止水剤を効率良く吐出できなくなる場合がある。このような場合、可動側ノズル４０を清掃するため、図１０に示すように、蓋部６０が蓋部保持穴５５から取り外されて、可動側ノズル４０の開閉口５４が開放した状態に維持される。
【００４７】
この状態で、ディスペンサから止水剤を供給する。この結果、図１０に矢印で示すように、一旦貯留部５３に貯留された止水剤は、吐出口５２（複数の孔部Ｈ）から外部に流出すると共に、開閉口５４及び蓋部保持穴５５を介して外部に流出する。吐出口５２から流出する止水剤の運動を利用して、吐出口５２を塞いでいる固形化した止水剤が押し流されて除去され得る。同様に、開閉口５４及び蓋部保持穴５５を介して流出する止水剤の運動を利用して、貯留部５３を塞いでいる固形化した止水剤が押し流されて除去され得る。このとき、上述したように、開閉口５４の開口縁と貯留部５３の内壁面とが面一となっており段差がないため、貯留部５３を塞いでいる固形化した止水剤を効率良く除去できる。
【００４８】
更に、図１３に示すように、清掃用ブラシ７０を可動側ノズル４０の貯留部５３に挿入し、清掃用ブラシ７０を貯留部５３の延在方向（ノズル本体４１の幅方向）に往復運動させることで、吐出口５２や貯留部５３に残存する固形化した止水剤を掻き出して除去してもよい。この際にも、開閉口５４の開口縁と貯留部５３の内壁面とが面一となっており段差がないことにより、清掃用ブラシ７０を貯留部５３の延在方向に往復運動させ易い。
【００４９】
以上、説明したように、本実施形態に係る止水剤塗布ノズルである可動側ノズル４０によれば、吐出口５２とは異なる専用の開閉口５４を通じて固形化した止水剤を除去できる。これにより、例えば、電線束ＣＴへの止水剤の塗布に適した形状の吐出口５２とは別に、固形化した止水剤の除去に適した形状を有するように開閉口５４を構成することで、固形化した止水剤を除去する工程を容易化することができる。
【００５０】
更に、開閉口５４を使用する必要がない場合には蓋部６０によって開閉口５４を閉じることで、吐出口５２から吐出される止水剤の量を増大できる。よって、可動側ノズル４０の清掃時以外の場合において、吐出口５２から効率良く止水剤を吐出できる。
【００５１】
更に、蓋部６０を蓋部保持穴５５に螺合することによって開閉口５４を閉じることにより、止水剤の供給圧を高めても意図せず蓋部６０が外れることを抑制できる。
【００５２】
更に、開閉口５４と貯留部５３との接続箇所が面一となっており段差がないため、清掃時に効率良く固形化した止水剤を除去できる。
【００５３】
＜他の形態＞
なお、本発明は上記各実施形態に限定されることはなく、本発明の範囲内において種々の変形例を採用することができる。例えば、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００５４】
例えば、上記実施形態では、蓋部６０が螺合により蓋部保持穴５５に取り付けられている。これに対し、蓋部６０が、螺合以外の係合手法により蓋部保持穴５５に取り付けられていてもよい。
【００５５】
更に、上記実施形態では、開閉口５４が貯留部５３の延在方向（ノズル本体４１の幅方向）の一端側にのみ設けられている。これに対し、開閉口５４が、貯留部５３の延在方向（ノズル本体４１の幅方向）の両側に設けられていてもよい。
【００５６】
更に、上記実施形態では、開閉口５４と貯留部５３との接続箇所が面一となっている。これに対し、開閉口５４と貯留部５３との接続箇所が面一となっていなくてもよい。例えば、複数の開閉口５４が、貯留部５３の延在方向の一端側のみ又は両端側に、貯留部５３に対して偏心して配置されていてもよい。
【００５７】
更に、上記実施形態では、可動側ノズル４０のみに開閉口５４が設けられている。これに対し、可動側ノズル４０に代えて、或いは、可動側ノズル４０に加えて、固定側ノズル２０にも、開閉口５４に相当する開閉口が貯留部３３に設けられていてもよい。
【００５８】
更に、例えば、可動側ノズル４０の吐出口５２における止水剤の吐出方向前方側に、止水剤を保持する保持凹部を形成してもよい。このようにすると、電線束ＣＴへ止水剤を塗布する際に、吐出口５２から吐出された止水剤が電線Ｃとの接触によってそぎ落ちるのを抑制でき、電線束ＣＴへ塗布する止水剤の均一な塗布厚を確実に確保することができる。
【００５９】
ここで、固定側ノズル２０及び可動側ノズル４０の変形例について説明する。
＜固定側ノズルの変形例＞
図１４は、変形例に係る固定側ノズルの斜視図である。図１５は、変形例に係る固定側ノズルの正面図である。
【００６０】
図１４及び図１５に示すように、この変形例に係る固定側ノズル２０Ａは、電線Ｃの整列方向と直交する方向に沿って配列された複数の孔部Ｈからなる吐出口３２を有しており、これらの孔部Ｈからなる吐出口３２が貯留部３３に連通されている。また、これらの複数の孔部Ｈからなる吐出口３２は、ノズル本体２１におけるガイド部２３に形成されている。
【００６１】
この固定側ノズル２０Ａでは、吐出口３２とされた複数の孔部Ｈから止水剤を均等に吐出させて電線束ＣＴに対して止水剤を均等に幅広く塗布することができる。また、吐出口３２を複数の孔部Ｈとすることで、各孔部Ｈから止水剤を高い吐出圧で遠くへ飛ばすことができ、離れた電線束ＣＴの電線Ｃに対しても確実に止水剤を塗布することができる。
【００６２】
なお、この変形例に係る固定側ノズル２０Ａは、吐出口３２がノズル本体２１におけるガイド部２３に形成されているので、電線束ＣＴに対して吐出口３２が離れた位置に配置されることとなる。したがって、吐出口３２から吐出される止水剤を保持する保持凹部３５がなくても、吐出した止水剤が相対的に移動する電線Ｃとの接触によってそぎ落とされることなく電線Ｃに確実に塗布され、これにより、塗布厚を確実に確保することができる。
【００６３】
ここで、上述した本発明に係る止水剤塗布ノズルの実施形態の特徴をそれぞれ以下［１］〜［４］に簡潔に纏めて列記する。
［１］
複数本の電線（Ｃ）を整列させた電線束（ＣＴ）に対して、前記電線（Ｃ）の整列方向に沿って止水剤を塗布する止水剤塗布ノズル（４０）であって、
前記止水剤を前記電線束（ＣＴ）へ向けて吐出するように前記整列方向に交差する交差方向に延びる吐出口（５２）と、
前記止水剤を前記吐出口（５２）に向けて供給する供給路（５１）と、
前記供給路（５１）に接続されて前記供給路（５１）を経た前記止水剤を一時的に貯留すると共に前記止水剤を前記吐出口（５２）に向けて送り込む貯留部（５３）と、
前記貯留部（５３）に連通するように且つ開閉可能に設けられた前記吐出口（５２）とは異なる開口部（５４）と、を備える、
止水剤塗布ノズル。
［２］
［１］に記載の止水剤塗布ノズルにおいて、
前記開口部（５４）は、
蓋部（６０）を着脱することによって開閉可能に構成された、
止水剤塗布ノズル。
［３］
［２］に記載の止水剤塗布ノズルであって、
前記開口部（５４）は、
前記蓋部（６０）が螺合されることによって閉じられるように構成された、
止水剤塗布ノズル。
［４］
［１］〜［３］の何れか１つに記載の止水剤塗布ノズルにおいて、
前記開口部（５４）は、
該開口部（５４）の開口縁と、前記貯留部（５３）の内壁面と、が面一になるように構成された、
止水剤塗布ノズル。
【符号の説明】
【００６４】
４０  可動側ノズル（止水剤塗布ノズル）
５１  供給路
５２  吐出口
５３  貯留部
５４  開閉口（開口部）
６０  蓋部
Ｃ    電線
ＣＴ  電線束
【図１】
2019212451.tif 000003
【図２】
2019212451.tif 000004
【図３】
2019212451.tif 000005
【図４】
2019212451.tif 000006
【図５】
2019212451.tif 000007
【図６】
2019212451.tif 000008
【図７】
2019212451.tif 000009
【図８】
2019212451.tif 000010
【図９】
2019212451.tif 000011
【図１０】
2019212451.tif 000012
【図１１】
2019212451.tif 000013
【図１２】
2019212451.tif 000014
【図１３】
2019212451.tif 000015
【図１４】
2019212451.tif 000016
【図１５】
2019212451.tif 000017